(57)【要約】【目的】コスト安で永続的な緑化を持続可能であり、更には牧草に圧迫されることなく、郷土種植物などを確実に発芽・成育させることができ、所望の緑化を達成可能な法面緑化構造体を提供すること。【構成】線径が０．５乃至２．５ｍｍの線材よりなり、網目合いの一辺が１０〜４０ｍｍの亀甲金網の片面側のみに、肥料・保水材・土壌改良材・生育基盤材・種子の内少なくとも２種以上を収容してなる袋体を２０〜１００ｃｍの間隔で平行に装着した法面保護用網状体を、袋体が装着された側を法面に向けて張設し、その上より種子・肥料・有機質を主体とした植生基材を吹付けることにより法面緑化構造体を構築する。【選択図】      図１
0003110841.tif 000002
【実用新案登録請求の範囲】
【請求項１】
線径が０．５乃至２．５ｍｍの線材よりなり、網目合いの一辺が１０〜４０ｍｍの亀甲金網の片面側のみに、肥料・保水材・土壌改良材・生育基盤材・種子の内少なくとも２種以上を収容してなる袋体を２０〜１００ｃｍの間隔で平行に装着した法面保護用網状体を、袋体が装着された側を法面に向けて張設し、その上より種子・肥料・有機質を主体とした植生基材を吹付けることで構成される法面緑化構造体。
【考案の詳細な説明】
【技術分野】
【０００１】
本考案は、例えば道路造成時などに発生する法面を緑化で保護する際に用いられる法面緑化構造体に関する。
【背景技術】
【０００２】
近年では、従来はモルタル吹付による保護が行われていたような硬質法面をも緑化する必要が生じてきており、法枠などの構造物と厚層基材吹付工法を併用する、或いは厚層基材吹付工の吹付量を多くするなどして緑化を行っている。
【特許文献１】特開平１−１４２１３０号公報
【考案の開示】
【考案が解決しようとする課題】
【０００３】
しかしながら、構造物と基材吹付工の併用緑化ではコストが高くなってしまう。また、一般的な厚層基材吹付工の吹付厚を大きくしたとしても、多くの肥料分が法面下部に流失してしまい、施工後１〜２年で肥料切れによる植物の衰退が起こる恐れがある。
【０００４】
一方、生態系に配慮した植生を求める声が市場で大きくなってきているが、上述の方法では牧草の成長力が強く、郷土種植物などが成長できないまま牧草のみの緑化となり、緑化目標である植生にて法面を緑化することが困難であった。
【０００５】
本考案は、上述の事柄に留意してなされたもので、その目的とするところは、コスト安で永続的な緑化を持続可能であり、更には牧草に圧迫されることなく、郷土種植物などを確実に発芽・成育させることができ、所望の緑化を達成可能な法面緑化構造体を提供することにある。
【課題を解決するための手段】
【０００６】
上記目的を達成するため、本考案に係る法面緑化構造体は、線径が０．５乃至２．５ｍｍの線材よりなり、網目合いの一辺が１０〜４０ｍｍの亀甲金網の片面側のみに、肥料・保水材・土壌改良材・生育基盤材・種子の内少なくとも２種以上を収容してなる袋体を２０〜１００ｃｍの間隔で平行に装着した法面保護用網状体を、袋体が装着された側を法面に向けて張設し、その上より種子・肥料・有機質を主体とした植生基材を吹付けることで構成される。
【考案の効果】
【０００７】
本考案に係る法面緑化構造体によれば、袋体が法面に接するように法面保護用網状体を張設する為、法面保護用網状体が袋体の径（２〜３ｃｍ）程度法面より浮いた状態となる。すなわち、法面保護用網状体の亀甲金網が植生基材の略中心に位置することになり、法面保護用網状体と植生基材とが確実に一体化される。この際、袋体を等高線状に適宜間隔を開けて平行に配置する為、袋体が植生基材の流亡防止材としても働き、より一層法面緑化構造体の強度を高めることになるのである。
【０００８】
法面保護用網状体を構成する亀甲金網は、植生基材との絡みを向上させると共に法面の起伏に沿うことが可能なように柔軟性を持たせるために、その線径を０．５乃至２．５ｍｍに、亀甲型の網目を一辺が１０〜４０ｍｍに設定してある。また、金網の素材は鉄線等適宜選択できるが、亀甲金網が腐食してなくなった方が良い現場においては、銅メッキを施すことによりその腐食進行を速めることができ好適である。逆に亀甲金網による保護が長期間必要とされる現場においては、何らかの被覆処理（亜鉛メッキや樹脂被覆など）を施すことが好ましく、中でもポリエチレンによる被覆を選択すると、金網強度が長期間維持可能になると共に、廃棄時や不慮の火災等により燃焼する際に有毒ガスを発生させることがない為好適である。
【０００９】
袋体の素材は特に限定されるものではなく、一定の強度と柔軟性と通気性を持つものであれば選択可能である。袋体内部に収容するものは肥料や保水材、土壌改良材、生育基盤材などであるが、袋体の一部に植物種子を収容して植生袋を形成することによって、線状に任意の植物（牧草など）を生育させることができる為、郷土種植物との棲み分けが可能となり好適である。つまり、牧草の種子を収容した植生袋を止着した法面保護用網状体が法面など施工対象面に敷設されることにより、緑化初期においては成長力の強い牧草が早く成長して、植生基盤が安定化される。そして、牧草に比べて成長力が弱い郷土種植物などは、牧草とは別の位置において発芽し成長するので、牧草によって圧迫されることなく、従って、郷土種植物などと牧草の双方がバランスよく成育し、所望の緑化が達成される。
【考案を実施するための最良の形態】
【００１０】
以下、本考案の実施例を図面に基づいて説明する。
【００１１】
図１及び図２は、本考案に係る植生工法の一例を示すもので、図１において、１は施工対象面としての法面である。２はこの法面１の表面に敷設される法面保護用網状体２で、この法面保護用網状体２（以下、網状体２という）には、適宜の間隔をおいて肥料袋３と植生袋４とが止着されている。５は法面１に敷設された網状体２の上から法面１に対して、吹付けノズル６によって吹き付けられた吹付け基材である。７は網状体２の固定用アンカーである。
【００１２】
前記網状体２としては、図２に示すように、例えば線径が１．１５ｍｍのポリエチレン被覆鉄線を用いて網目が２６ｍｍになるように形成された亀甲金網が用いられる。これは、亀甲金網はラスとしての機能が大きく、肥料袋３や植生袋４をズレないように確実に止着することができると共に、吹付け基材５の流亡を防止する効果が大きいからである。
【００１３】
そして、前記網状体２に止着される肥料袋３と植生袋４はそれぞれ次のように構成されている。肥料袋３は、例えば厚みが０．２〜２．５ｍｍ、通気量が２０〜３５０ｃｃ／ｃｍ／ｓｅｃである不溶性の不織布で形成された袋体内に、速効性，緩効性，遅効性，超遅効性の各肥料を適宜の割合で配合した肥料や、バーミキュライトやパーライトなどの無機質系の保水剤、あるいは、バーク堆肥やピートモスなどの有機質系の保水剤のように植物の成育に直接的または間接的に必要な肥料基材を収容したものである。
【００１４】
また、植生袋４は、肥料袋３と同様の袋体を用いており、その内部にグリーピングレッドフェスク, ハイランドベントグラス,レッドトップ, バミューダグラス, ケンタッキーブルーグラスなどの牧草の種子を適宜収容したものである。尚、植生袋４には牧草に限らず各種種子を用いることができることは言うまでも無い
【００１５】
上述のように構成された肥料袋３と植生袋４は、図２（Ａ），（Ｂ）に示すように、肥料袋３（または植生袋４）を止め針金（または糸）９によって網状体２の一方の面に止着されている。なお、図２（Ｂ）において、１０は止め針金９を網状体２に固定するためのリンガーなどの止め具である。肥料袋３と植生袋４は、適宜の間隔をおいて対にして配置され、一つの対においては肥料袋３が植生袋４より上方に位置する。そして、一つの対における肥料袋３と植生袋４との間隔は、例えば１０〜４０ｃｍ程度に設定される。また、一つの対における植生袋４と隣接する他の対における肥料袋３との間隔は、例えば４０〜５０ｃｍ程度に設定される。
【００１６】
前記吹付け基材５は、一般的な吹付け方法によって吹付けることができ、また、その吹付けに用いる吹付け機としては、乾式吹付装置やガンキなど一般的な吹付け機を用いることができる。そして、この吹付け機には、図１に示すように、吹付け基材供給用のホース１１を介して吹付けノズルが接続され、さらに、この吹付けノズルには水供給用のホース１２を介して図外の水ポンプおよび水タンクに接続されている。
【００１７】
吹付け基材５には郷土種植物（野草や樹木）、花植物など様々な種類の植物種子を配合することができる。前記郷土種植物としては、野草としては、よもぎ，すすき，めどはぎ，いたどりなどがあり、さらに、樹木としては、あかまつ，やしゃぶし，いたちはぎ，やまはぎ，こまつなぎなどがある。尚、周辺植物から飛来する種子など自然の緑化に任せる場合には、植物種子を一切配合しないことも可能であり、また、周辺生態系と同様の植生を復元させたい場合には、施工地周辺の林床などより採取する表土シードバンクを用いることも可能である。
【００１８】
而して、本考案に係る法面緑化構造体を構築するには、先ず、肥料等を収容した肥料袋３と牧草の種子を収容した植生袋４とを止着した網状体２を、袋体が法面に接するように法面１の表面に敷設し、固定用アンカー７で網状体２を法面１に固定する。一方、野草や樹木などの郷土種植物などの種子と、前記肥料袋３内に収容された肥料基材と同様のものとを前記吹付け機の撹拌槽に投入して混合し、所定の吹付け基材５を得る。
【００１９】
前記網状体２の法面１に対する敷設が完了すると、前記吹付け機によって吹付け基材５を網状体２の上から法面１に対して吹き付けるのであるが、例えば次のようにして行う。すなわち、前記吹付け機から、吹付け基材５を３〜４ｍ３ ／分のエア量でブロワーによって吹付けノズル６方向に送り出すと共に、水を１６リットル／分の割合で吹付けノズル６方向に送り出し、吹付けノズルの吐出口の上流側約２０ｃｍの位置で吹付け基材５と水とを合わせ込み、吹付け基材５と水との混合物を網状体２の上から法面１に対して吹き付けるのである。この場合、吹付け基材５は前記肥料袋３と植生袋４との間の隙間は勿論のこと、これらを覆うように吹き付けられる。
【００２０】
ここで、網状体２として一定目合いの亀甲金網を用いており、肥料袋３や植生袋４が確実に止着されている為、この網状体２および肥料袋３，植生袋４によって吹付け基材５の流亡が防止される。そして、牧草の種子と肥料基材を収容した植生袋４における袋体は、植生袋４を止着した網状体２を法面１に敷設した後、吹付け基材５の吹付けを行うまでの間に降雨などがあっても、牧草の種子の流出が防止できると共に、発芽した牧草の種子の成長を妨げることがない。
【００２１】
而して、緑化の初期段階では、成長力の強い牧草が早く成長して、法面１における植生基盤が安定化される。そして、前記吹付けによって法面１に吹き付けられた吹付け基材５は、前述したように、網状体２，肥料袋３および植生袋４によって流亡しないように保持されるが、この吹付け基材５内に含まれた郷土種植物などの種子は、牧草とは別の位置において発芽し成長することができるので、牧草によって圧迫されることなく、従って、法面１においては郷土種植物など緑化目標とする植物と牧草の双方がバランスよく成育し、所望の緑化が達成される。
【００２２】
本考案は上記実施例に限られるものではなく、例えば網状体２は金網以外の化学性繊維材よりなるものであってもよい。また、植生袋４を構成する袋体を、ビニロン製のネットと、紙にポリプロピレン４０％を混入した半水溶性紙とをラミネートしてなるものから形成してもよく、また、ポリプロピレンまたはビニロン製のネットと水分散性の不織布とをラミネートしてなるものから形成してもよい。また、前記ネットに対して澱粉系の半水溶性または水溶性のフィルムをラミネートしてもよい。さらに、網状体２には必ずしも植生袋４を設ける必要がなく、肥料袋３を適宜の間隔で止着しただけでもよい。
【図面の簡単な説明】
【００２３】
【図１】本考案に係る法面緑化構造体を構築している状態を示す図である。
【図２】図２（Ａ）は網状体に肥料袋と植生袋を止着した状態を示す斜視図であり、図２（Ｂ）はその拡大斜視図である。
【符号の説明】
【００２４】
１…施工対象面
２…網状体
３…肥料袋
４…植生袋
５…吹付け基材
【図１】
0003110841.tif 000003
【図２】
0003110841.tif 000004